(57)【要約】【課題】取付ベース等の部品は他の用途への転用が可能であり、このものを直列に多数接続して使用した場合でも、ＬＥＤの入力電圧が降下することなく、さらに、このＬＥＤ照明器具以外の電気機器を使用する場合には、このための電力用配線を別に配線することが必要のないＬＥＤ照明器具を提供する。【構成】床面等に配設する断面がコ字状で長尺な取付ベースと、前記取付ベースの上部に嵌合される蓋部とを有してなり、前記蓋部に多数のＬＥＤを配設してなる。また、前記取付ベースの内部に電力用配線を有してなる。さらに、前記ＬＥＤ照明器具の終端部にＬＥＤ用電力供給配線又は前記電力用配線の電極端子を有してなる。加えて、前記取付ベースの内部にＬＥＤ入力電圧の降下を補正するブースターを有してなる。【選択図】  図１
2005019299.tif 000002
【特許請求の範囲】
【請求項１】
床面等に配設する断面が略コ字状で長尺な取付ベースと、前記取付ベースの開口部に嵌合される蓋部とを有してなり、前記蓋部に多数のＬＥＤを配設してなることを特徴とするＬＥＤ照明器具。
【請求項２】
前記取付ベースの内部に前記ＬＥＤ用の電源回路を有してなることを特徴とする請求項１記載のＬＥＤ照明器具。
【請求項３】
前記取付ベースの内部に電力用配線を有してなることを特徴とする請求項１又は請求項２に記載のＬＥＤ照明器具。
【請求項４】
前記ＬＥＤ照明器具の終端部にＬＥＤ用電力供給配線又は前記電力用配線の電極端子を有してなることを特徴とする請求項１乃至請求項３のいずれかに記載のＬＥＤ照明器具。
【請求項５】
前記取付ベースの内部にＬＥＤ入力電圧の降下を補正するブースターを有してなることを特徴とする請求項１乃至請求項４のいずれかに記載のＬＥＤ照明器具。
【発明の詳細な説明】
【０００１】
【発明の属する技術分野】
本発明は、床面又は壁面等に取り付けられるＬＥＤ照明器具であって、店舗等で商品等の照明に用いられるＬＥＤ照明器具に関するものである。
【０００２】
【従来の技術】
床面等に取り付けられるＬＥＤ照明器具であって、店舗等で商品等の照明に用いられるＬＥＤ照明器具の従来のものとしては、ＬＥＤライン型ベース器具があった。このものは、断面がコ字状の長尺の取付ベースの内部にＬＥＤ用の電源回路を配設し、上部にＬＥＤ等の照明装置を配設させた構造をしている。このものを床面や階段面に取り付けることにより案内灯として用いたり、壁面に取り付けることにより展示商品のライトアップに用いたりしていた。また、これを改良したＬＥＤ照明器具が、特開２９３５６７７号公報に開示されている。
【０００３】
【特許文献１】
特開２９３５６７７号公報（第３−４頁、図１）
【０００４】
【発明が解決しようとする課題】
しかしながら、従来のＬＥＤ照明器具や特開２９３５６７７号公報に開示されているものは、取付ベース等の部品は他の用途への転用ができないために、専用の照明器具を生産することが必要となり、コストアップの原因になっていた。また、この種の照明器具を直列に多数接続して使用した場合に、ＬＥＤの入力電圧が降下して、ＬＥＤの輝度が低下するおそれがあった。さらに、このＬＥＤ照明器具以外の電気機器を使用する場合には、このための電力用配線を別に配線することが必要となっていた。
【０００５】
本発明は、かかる事由に鑑みてなしたもので、その目的とするところは、取付ベース等の部品が他の用途への転用が可能であり、このものを直列に多数接続して使用した場合でも、ＬＥＤの入力電圧が降下することなく、さらに、このＬＥＤ照明器具以外の電気機器を使用する場合でも、このための電力用配線を別に配線することが必要のないＬＥＤ照明器具を提供することにある。
【０００６】
【課題を解決するための手段】
請求項１に係る発明は、床面等に配設する断面が略コ字状で長尺な取付ベースと、前記取付ベースの開口部に嵌合される蓋部とを有してなり、前記蓋部に多数のＬＥＤを配設してなることを特徴としている。
【０００７】
請求項２に係る発明は、請求項１の構成において、前記取付ベースの内部に前記ＬＥＤ用の電源回路を有してなることを特徴としている。
【０００８】
請求項３に係る発明は、請求項１又は請求項２の構成において、前記取付ベースの内部に電力用配線を有してなることを特徴としている。
【０００９】
請求項４に係る発明は、請求項１乃至請求項３のいずれかの構成において、前記ＬＥＤ照明器具の終端部にＬＥＤ用電力供給配線又は前記電力用配線の電極端子を有してなることを特徴としている。
【００１０】
請求項５に係る発明は、請求項１乃至請求項４のいずれかの構成において、前記取付ベースの内部にＬＥＤ入力電圧の降下を補正するブースターを有してなることを特徴としている。
【００１１】
【発明の実施の形態】
（実施形態１）
本発明の実施形態１を図１〜３に基づいて説明する。本実施形態のＬＥＤ照明器具壁は、図１、２に示すように、断面がコ字状で長尺な取付ベース１と、この上部に嵌合されて内部に多数のＬＥＤ２を配設している蓋部３とを備えている。取付ベース１は、金属または樹脂を形成したものであり、具体的形状としては、横が約２０ｍｍ、高さが約１５ｍｍ、長さが約１ｍである。このものの側面は、後述する蓋部３が嵌合できるように、弾力性を有している。取付ベース１の内部は空洞になっていて、各種の電気機器を配設できるようになっている。また、取付ベース１の終端部には、終端板５が取り付けられている。蓋部３は、取付ベース１の上部の開口部を覆うように嵌合するものであり、アクリル樹脂やガラス等の透明な絶縁材料からできている。また、この蓋部３の長さは、取付ベース１の約半分である。したがって、図１に示すように、１個の取付ベース１に２個の蓋部３が嵌合できる構成になっている。蓋部３の内部の上部には、基板１０に取り付けられたＬＥＤ２が５〜１０ｃｍ間隔で配設されている。この基板１０の下部には、ＬＥＤ２を点灯させるための電気部品１１が配設され、この下部には、伝熱シート１２が配設されている。ＬＥＤ２、基板１０、電気部品１１と伝熱シート１２は、蓋部３に嵌合することで保持されている絶縁板１３上に配設されている。さらに、取付ベース１の内部で絶縁板１３の下部は、電力用配線１４を配設するスペースとなっている。
【００１２】
本実施形態のＬＥＤ照明器具の取付け手順について説明する。まず、取付ベース１を床面又は壁面に取り付ける。ここで、取付けの構成としては、長期間取り付けておく場合には、ビスや釘で確実に固定し、短期間のみ取り付けておく場合には、両面の接着テープを用いる。次に、他の電気機器に電気を供給する電力用配線１４を必要とする場合には、電力用配線１４を取付ベース１の底面に配設させる。一方、伝熱シート１２及び、上部にＬＥＤ２を下部に電気部品１１を配設した基板１０を配設した絶縁板１３を蓋部３の内部で嵌合させる。この蓋部３を取付ベース１の開口部を覆うように嵌合させる。本実施形態では、取付ベース１の側面板の内部に蓋部３が嵌合する構造になっている。一方、電力用配線１４は、取付ベース１の終端部から引き出して、必要な電気機器に接続させる。
【００１３】
また、ＬＥＤの照明が必要としない場所に取付ベース１を配設する場合には、断面を図３に示すような、ＬＥＤ非収納用蓋部４を取付ベース１の開口部に嵌合させる。このＬＥＤ非収納用蓋部４は、内部が見えないように、不透明な樹脂を用いる。この部分内部には、電力用配線１４のみが収納されている構造になっている。この状態で、ＬＥＤ用スイッチ（図示せず）をＯＮ又はＯＦＦさせることにより、ＬＥＤを点滅させることができる。ここで、本実施形態のＬＥＤ照明器具を床面に配設させれば、案内灯として用いることができる。また、店舗灯の壁や天井に配設させれば、展示商品の局所照明として用いることができる。
【００１４】
本実施形態のＬＥＤ照明器具は、内部に電力用配線１４を配設できる構造になっているので、各種電気機器への電線を内部に配設して、見栄えをよくすることができる。また、取付ベース１や蓋部３、４としては、市販の配線レールの部品を流用することができる。したがって、市販の部品を流用することにより、コストダウンをはかることができる。また、本実施形態のＬＥＤ照明器具の取付ベース１とＬＥＤ非収納用蓋部４を、逆に配線レールとして使用することもできる。一方、照明装置として、ＬＥＤを使用しているので、消費電力が小さく、ＬＥＤ照明器具内部での発熱を抑制することができる。さらに、ＬＥＤ照明器具内部に伝熱シートを有しているので、温度上昇を抑制することができる。
【００１５】
（実施形態２）
本発明の実施形態２を図４〜６に基づいて説明する。本実施形態は、実施形態１に類似しているが、取付ベース１’及び蓋部３’、４’の構造に差異がある。この点について説明する。この取付ベース１’及びＬＥＤ非収納用蓋部４’は、市販の配線用モールを使用している。このために、取付ベース１’の側面板の外部に蓋部３’、４’が嵌合する構造になっている。また、蓋部３’は、ＬＥＤを内部に収納しているために、図４に示すように、蓋部４’よりも高さが高くなっている。ここで、この蓋部３’は、実施形態１で記載した蓋部３と略同様の内部構造をしている。
【００１６】
本実施形態のＬＥＤ照明器具は、取付ベース１’及びＬＥＤ非収納用蓋部４’として、市販の配線用モールを使用しているので、市販の流通品をそのまま使用することが可能となる。したがって、在庫の部品点数を低減することができ、また、コストダウンをはかることができる。
【００１７】
なお、図４に示すように、市販のモール用のＬＥＤ非収納用蓋部４’を使用すると、蓋部の高さが異なり見栄えを損なうことになる。この場合、ＬＥＤ内蔵用の蓋部３’と同じ高さを有するＬＥＤ非収納用蓋部を製作して、取付ベース１’に嵌合させることにより、蓋部の高さをそろえることができる。ただし、この場合は、ＬＥＤ非収納用蓋部は特注品となるために、コストが高くなる可能性がある。
【００１８】
（実施形態３）
本発明の実施形態３を図７〜１１に基づいて説明する。本実施形態は、実施形態１に類似しているが、取付ベース１の終端板５にＬＥＤ用電力供給配線用の電極端子６が配設されている点が異なる。この電極端子６同士を接続することにより、ＬＥＤ用電力供給配線を結線することなく、容易にＬＥＤ照明器具を接続することができる。
【００１９】
本実施形態のＬＥＤ照明器具は、取付ベース１の終端の終端板５に電極端子６が配設されているので、容易にＬＥＤ照明器具を電気的に接続することができる。したがって、ＬＥＤ照明器具を多数連結して、配置することが容易にできるようになる。
【００２０】
ここで、電力用配線１４を取付ベース１の内部に配設して、この電力用配線１４を電極端子を介して接続するには、図７、８と同様に、取付ベース１の終端板５に電極端子６を配設する構成がある。また、他の構成としては、図９〜１１に示すように、平板形状の電力用配線１４’を用い、それぞれの専用のジョイント１６、１７、１８を取付ベース１の終端部に取り付けることにより、２つの取付けベース１を電気的に接続しているものがあげられる。図９に示す例では電力用配線１４’を取付ベース１の底面に配設し、図１０に示す例では電力用配線１４’を取付ベース１の側面に配設し、図１１に示す例では電力用配線１４’を取付ベース１の内部に立設している。そして、それぞれの専用のジョイント１６、１７、１８に具備された電気接続部２０、２１、２２を介して、二つの取付ベース１、１の平板形状の電力用配線１４’が電気的に接続される構造になっている。
【００２１】
（実施形態４）
本発明の実施形態４を図１２に基づいて説明する。本実施形態は、実施形態１に類似しているが、ＬＥＤ照明器具として、ブースター２０と電源２１とが組み込まれている点が異なる。電源２１には、ＬＥＤ用電池が内蔵され、ブースター２０は、ＬＥＤ用電源の電圧降下を補正するための電気回路が内蔵されている。
【００２２】
本実施形態のＬＥＤ照明器具は、電源２１とが組み込まれているので、外部から電力を供給するための電線を接続することなく、ＬＥＤを点灯させることができる。また、ブースターが組み込まれているので、多数のＬＥＤが具備されていても、電圧降下をおこすことなく、ＬＥＤの輝度を保持することができる。
【００２３】
【発明の効果】
請求項１に係る発明は、床面等に配設する断面が略コ字状で長尺な取付ベースと、前記取付ベースの上部に嵌合される蓋部とを有してなり、前記蓋部に多数のＬＥＤを配設してなることを特徴としているので、取付ベースや蓋部としては、市販の配線レールの部品を流用することができ、このことにより、コストダウンをはかることができる。
【００２４】
請求項２に係る発明は、請求項１の構成において、前記取付ベースの内部に前記ＬＥＤ用の電源回路を有してなることを特徴としているので、請求項１の効果に加え、外部から電力を供給するための電線を接続することなく、ＬＥＤを点灯させることができる。
【００２５】
請求項３に係る発明は、請求項１又は請求項２の構成において、前記取付ベースの内部に電力用配線を有してなることを特徴としているので、請求項１又は請求項２の効果に加え、各種電気機器への電線を内部に配設して、見栄えをよくすることができる。
【００２６】
請求項４に係る発明は、請求項１乃至請求項３のいずれかの構成において、前記ＬＥＤ照明器具の終端部にＬＥＤ用電力供給配線又は前記電力用配線の電極端子を有してなることを特徴としているので、請求項１乃至請求項３の効果に加え、ＬＥＤ照明器具を多数連結して、配置することが容易にできるようになる。
【００２７】
請求項５に係る発明は、請求項１乃至請求項４のいずれかの構成において、前記取付ベースの内部にＬＥＤ入力電圧の降下を補正するブースターを有してなることを特徴としているので、請求項１乃至請求項４の効果に加え、多数のＬＥＤが具備されていても、電圧降下をおこすことなく、ＬＥＤの輝度を保持することができる。
【図面の簡単な説明】
【図１】実施形態１に係るＬＥＤ照明器具の斜視図である。
【図２】実施形態１に係るＬＥＤ照明器具でＬＥＤ収納部分の断面図である。
【図３】実施形態１に係るＬＥＤ照明器具でＬＥＤを収納していない部分の断面図である。
【図４】実施形態２に係るＬＥＤ照明器具の斜視図である。
【図５】実施形態２に係るＬＥＤ照明器具でＬＥＤ収納部分の断面図である。
【図６】実施形態２に係るＬＥＤ照明器具でＬＥＤを収納していない部分の断面図である。
【図７】実施形態３に係るＬＥＤ照明器具の斜視図である。
【図８】実施形態３に係るＬＥＤ照明器具の断面図である。
【図９】実施形態３に係るＬＥＤ照明器具の取付ベースの連結部分の斜視図である。
【図１０】実施形態３に係るＬＥＤ照明器具の取付ベースの他の連結部分の斜視図である。
【図１１】実施形態３に係るＬＥＤ照明器具の取付ベースの他の連結部分の斜視図である。
【図１２】実施形態４に係るＬＥＤ照明器具の上面図である。
【符号の説明】
１、１’        取付ベース
２              ＬＥＤ
３、３’        蓋部（ＬＥＤの収納タイプ）
４、４’        蓋部（ＬＥＤ非収納タイプ）
５              終端板
６              電極端子
１０            基板
１１            電気部品
１２            伝熱シート
１３            絶縁板
１４、１４’    電力用配線
１６〜１８      専用ジョイント
２０〜２２      連結用導体
２５            ブースターユニット
２６            電源ユニット
【図１】
2005019299.tif 000003
【図２】
2005019299.tif 000004
【図３】
2005019299.tif 000005
【図４】
2005019299.tif 000006
【図５】
2005019299.tif 000007
【図６】
2005019299.tif 000008
【図７】
2005019299.tif 000009
【図８】
2005019299.tif 000010
【図９】
2005019299.tif 000011
【図１０】
2005019299.tif 000012
【図１１】
2005019299.tif 000013
【図１２】
2005019299.tif 000014